(57)【要約】【課題】身体の汚れに対する拭き取り性能を高めることができる清拭用手袋を提供することを課題とする。【解決手段】手袋本体からなる清拭用手袋であって、手袋本体は不織布であるシート２０Ｂによって形成されている。シート２０Ｂは、内側シート２１と、内側シート２１の外面２１ａに積層された外側シート２２と、を備えている。外側シート２２には、複数の貫通穴２２ｄが形成されている。【選択図】図２
2015047463.tif 000002
【特許請求の範囲】
【請求項１】
手袋本体からなる清拭用手袋であって、
前記手袋本体は不織布であるシートによって筒状に形成されており、
前記シートは、内側シートと、前記内側シートの外面に積層された外側シートと、を備え、
前記外側シートには、複数の貫通穴が形成されていることを特徴とする清拭用手袋。
【請求項２】
前記貫通穴は、前記手袋本体の幅方向に直交する方向を長手方向とする長穴であることを特徴とする請求項１に記載の清拭用手袋。
【発明の詳細な説明】
【技術分野】
【０００１】
本発明は、身体を拭くための清拭用手袋に関する。
【背景技術】
【０００２】
身体の汚れを拭き取るための清拭用手袋としては、不織布である二枚のシートの両側部および先端部を熱融着（ヒートシール）した袋状の手袋本体が形成されているものがある（例えば、特許文献１参照）。このような清拭用手袋は、高齢者や病人等の介護において好適に使用される。
【先行技術文献】
【特許文献】
【０００３】
【特許文献１】特許第４４２２９３１号公報
【発明の概要】
【発明が解決しようとする課題】
【０００４】
前記した従来の清拭用手袋では、手袋本体に手を挿入すると、掌側および手の甲側にそれぞれ一枚のシートが配置され、身体の汚れを拭き取る際には、掌側のシートの平坦な面を利用する。このような従来の清拭用手袋では、身体の汚れに対する拭き取り性能を高めることが望まれている。
【０００５】
そこで、本発明は、身体の汚れに対する拭き取り性能を高めることができる清拭用手袋を提供することを課題とする。
【課題を解決するための手段】
【０００６】
前記課題を解決するため、本発明は、手袋本体からなる清拭用手袋であって、前記手袋本体は不織布であるシートによって筒状に形成されている。前記シートは、内側シートと、前記内側シートの外面に積層された外側シートと、を備えている。前記外側シートには、複数の貫通穴が形成されている。
【０００７】
この構成では、外側シートに複数の貫通穴を形成することで、手袋本体の外面に凹凸が形成される。そして、手袋本体によって身体を拭いたときに、各貫通穴の内周縁部によって身体の汚れが掻き落とされるとともに、身体の汚れが貫通穴から外側シートと内側シートとの間に入り込むため、身体の汚れを確実に拭き取ることができる。
【０００８】
前記した清拭用手袋において、前記貫通穴が前記手袋本体の幅方向に直交する方向を長手方向とする長穴であることが望ましい。
この構成では、手袋本体に挿入した手を横方向に移動させて身体を拭いたときに、貫通穴の内周縁部の広い範囲で汚れを掻き落とすことができる。
【発明の効果】
【０００９】
本発明の清拭用手袋では、手袋本体によって身体を拭いたときに、各貫通穴の内周縁部によって身体の汚れが掻き落とされるとともに、身体の汚れが貫通穴から外側シートと内側シートとの間に入り込むため、身体の汚れを確実に拭き取ることができる。したがって、身体の汚れに対する拭き取り性能を高めることができ、身体を清潔に拭き上げることができる。
【図面の簡単な説明】
【００１０】
【図１】本実施形態の清拭用手袋を示した斜視図である。
【図２】シートに穴加工を施した構成を示した図で、（ａ）は積層構造を示した斜視図、（ｂ）は断面図である。
【発明を実施するための形態】
【００１１】
本発明の実施形態について、適宜図面を参照しながら詳細に説明する。
本実施形態の清拭用手袋１は、図１に示すように、高齢者や病人等の身体の汚れを拭き取る際に使用するものであり、使用者の手２に装着して使用する。
清拭用手袋１は、ミトン形状の手袋本体１０からなる。手袋本体１０の両面に拭き取り面が形成されている。使用者は手袋本体１０に手２を挿入し、掌側の拭き取り面を利用して身体の汚れを拭き取る。
【００１２】
手袋本体１０は、不織布である二枚のシート２０，２０の基端部以外の外周部同士を接合してミトン形状に形成されている。手袋本体１０の基端部には挿入口１１が開口している。また、手袋本体１０の先端部には、親指が挿入される空間１２と、その他の指が挿入される空間１３とが形成されている。
【００１３】
手袋本体１０は、同じ形状の二枚のシート２０，２０の基端部以外の外周部同士を熱融着（ヒートシール）することで形成されている。本実施形態では、両シート２０，２０の縁部よりも内側を、両シート２０，２０の縁部に沿って熱融着しているため、両シート２０，２０の接合部位の縁部の柔軟性が保たれている。
【００１４】
不織布であるシート２０は、コットン、パルプおよびレーヨン等の吸水性を有する繊維によって構成されている。二枚のシート２０，２０は同じ形状に形成されている。シート２０を構成する繊維の材質等は限定されるものではないが、汚れの拭き取り性能や肌触り等を考慮して、吸水性や柔軟性を有するものを使用する。
【００１５】
シート２０は、図２（ｂ）に示すように、二層の不織布であり、内側シート２１と、内側シート２１の外面２１ａに積層された外側シート２２と、を備えている。内側シート２１は、外面２１ａおよび内面２１ｂが平坦なシートである。
【００１６】
外側シート２２には複数の貫通穴２２ｄ（図２（ａ）参照）が穴加工によって形成されている。各貫通穴２２ｄは、手袋本体の幅方向に直交する方向を長手方向とする長穴である。
【００１７】
シート２０を用いて手袋本体１０（図１参照）を形成する場合には、外側シート２２の外面２２ａが手袋本体１０の拭き取り面となるようにシート２０を配置する。これにより、拭き取り面には複数の貫通穴２２ｄによって凹凸が形成される。
【００１８】
シート２０では、内側シート２１と外側シート２２とが複数の箇所で点状に熱融着されている。すなわち、内側シート２１の外面２１ａと外側シート２２の内面２２ｂとが接している領域の大部分は分離されている。
【００１９】
以上のような清拭手袋１では、手袋本体１０（図１参照）によって身体を拭いたときに、各貫通穴２２ｄの内周縁部によって身体の汚れが掻き落とされる。また、身体の汚れが貫通穴２２ｄから外側シート２２と内側シート２１との間に入り込むため、身体の汚れを確実に拭き取ることができる。したがって、身体の汚れに対する拭き取り性能を高めることができ、身体を清潔に拭き上げることができる。
【００２０】
また、貫通穴２２ｄは、手袋本体１０の幅方向に直交する方向を長手方向とする長穴であるため、手袋本体１０（図１参照）を幅方向に移動させて身体を拭いたときに、貫通穴２２ｄの内周縁部の広い範囲で汚れを掻き落とすことができる。
【００２１】
以上、本発明の実施形態について説明したが、本発明は前記実施形態に限定されることなく、その趣旨を逸脱しない範囲で適宜に変更が可能である。
例えば、図２（ａ）に示すように、本実施形態では、シート２０の貫通穴２２ｄが長穴に形成されているが、貫通穴２２ｄの形状は限定されるものではなく、円形、矩形または菱形等の各種形状に形成することができる。
【００２２】
また、本実施形態の手袋本体１０は、図１に示すように、ミント形状に形成されているが、その形状は限定されるものではなく、例えば、長方形の二枚のシートの縁部を接合して筒状の手袋本体を形成してもよい。
また、本実施形態の手袋本体１０では、二枚のシート２０，２０を熱融着しているが、縫合や接着剤によって二枚のシート２０，２０を接合してもよい。
【符号の説明】
【００２３】
１      清拭用手袋
２      手
１０    手袋本体
１１    挿入口
２０    シート
２１    内側シート
２２    外側シート
２２ｄ  貫通穴
【図１】
2015047463.tif 000003
【図２】
2015047463.tif 000004